(57)【要約】【課題】技術文献を解析してその内容をグラフ化し開発テーマ探索等に適したマップを作成する。【解決手段】各技術文献に記載されている主語（Ｓ）と述語（Ｖ）と目的語（Ｏ）の各文型から、述語と目的語の２つの組み合わせを項目（ＶＯ＝Ｐ）として抽出し、これを一方の軸に、また主語（Ｓ）の項目を他方の軸に設定し、各軸の各項目の交点に該両項目を含む技術文献の数を表示する。このような構成では、技術課題がＰに、解決手段をＳに表現されているので、ある解決手段がどのような課題にどの位用いられているのか、またある課題に対して未着手の解決手段は何かなどを具体的に知ることができる。【選択図】  図９
2004220456.tif 000002
【特許請求の範囲】
【請求項１】
複数の技術文献から項目を抽出してその項目を有する文献数をマップ化する技術マップ作成方法において、
各技術文献に記載されている主語と述語と目的語の各文型から、主語と述語と目的語の項目のうちいずれか２つの組み合わせを項目として抽出して、少なくとも前記抽出されたいずれか２つの組み合わせの項目を技術文献ごとに記録した文型ファイルを作成し、
前記抽出されたいずれか２つの組み合わせの項目のうち選択された項目を一方の軸に、また他の項目のうち選択された項目を他方の軸に設定し、
一方の軸で選択されている項目と他方の軸で選択されている項目を含む技術文献の数を前記文型ファイルに基づき計数し、
各軸で選択されている各項目の交点に該両項目を含む技術文献の数を表示してマップを作成することを特徴とする技術マップ作成方法。
【請求項２】
各技術文献に記載されている書誌事項のうち所定項目を抽出して、該抽出された所定項目を技術文献ごとに記録した書誌事項ファイルを作成し、前記文型ファイルと書誌事項ファイルを技術文献番号を介して結合することを特徴とする請求項１に記載の技術マップ作成方法。
【請求項３】
前記抽出されたいずれか２つの組み合わせの項目が述語と目的語の組み合わせであり、この項目が一方の軸に、また他方の軸には、主語の項目が設定されることを特徴とする請求項１又は２に記載の技術マップ作成方法。
【請求項４】
前記抽出されたいずれか２つの組み合わせの項目が主語と述語の組み合わせであり、この項目が一方の軸に、また他方の軸には、目的語の項目が設定されることを特徴とする請求項１又は２に記載の技術マップ作成方法。
【請求項５】
前記抽出されたいずれか２つの組み合わせの項目が述語と目的語の組み合わせであり、この項目が一方の軸に、また他方の軸には、書誌事項ファイルから選択された項目が設定されることを特徴とする請求項２に記載の技術マップ作成方法。
【請求項６】
前記文型ファイルの主語の項目が一方の軸に、また他方の軸には、書誌事項ファイルから選択された項目が設定されることを特徴とする請求項２に記載の技術マップ作成方法。
【請求項７】
複数の技術文献から項目を抽出してその項目を有する文献数をマップ化する技術マップ作成方法において、
各技術文献の記述から、技術課題に対応する項目と、前記技術課題を解決する解決手段に対応する項目を抽出して、少なくとも前記抽出された各項目を技術文献ごとに記録したファイルを作成し、
前記抽出された技術課題に対応する項目のうち選択された項目を一方の軸に、また前記抽出された解決手段に対応する項目のうち選択された項目を他方の軸に設定し、
一方の軸で選択されている項目と他方の軸で選択されている項目を含む技術文献の数を前記ファイルに基づき計数し、
各軸で選択されている各項目の交点に該両項目を含む技術文献の数を表示してマップを作成することを特徴とする技術マップ作成方法。
【請求項８】
複数の技術文献から項目を抽出してその項目を有する文献数をマップ化する技術マップ作成方法において、
各技術文献に記載されている主語と述語と目的語の各文型から、主語と述語と目的語の項目のうちいずれか２つの組み合わせを項目として抽出して、少なくとも前記抽出されたいずれか２つの組み合わせの項目を技術文献ごとに記録したファイルを作成し、
前記抽出されたいずれか２つの組み合わせの項目のうち選択された項目あるいは他の選択された項目を含む技術文献の数を前記ファイルから計数し、
前記選択された項目ごとに、その項目を含む技術文献数を表示してマップを作成することを特徴とする技術マップ作成方法。
【請求項９】
技術文献の書誌事項から抽出された項目を選択し、選択された項目をパラメータとして該パラメータごとに前記表示を行うことを特徴とする請求項８に記載の技術マップ作成方法。
【請求項１０】
前記項目のうち所定の項目を指定し、指定された項目を含む技術文献を絞り込んでマップを作成することを特徴とする請求項１から９のいずれか１項に記載の技術マップ作成方法。
【請求項１１】
マップ作成後に所定の項目を指定し、指定された項目を含む技術文献を絞り込んでマップを作成することを特徴とする請求項１から９のいずれか１項に記載の技術マップ作成方法。
【請求項１２】
複数の技術文献から項目を抽出してその項目を有する文献数をマップ化する技術マップ作成プログラムにおいて、
各技術文献に記載されている主語と述語と目的語の各文型から、主語と述語と目的語の項目のうちいずれか２つの組み合わせを項目として抽出して、少なくとも前記抽出されたいずれか２つの組み合わせの項目を技術文献ごとに記録した文型ファイルを作成する手順と、
前記抽出されたいずれか２つの組み合わせの項目のうち選択された項目を一方の軸に、また他の項目のうち選択された項目を他方の軸に設定する手順と、
一方の軸で選択されている項目と他方の軸で選択されている項目を含む技術文献の数を前記文型ファイルに基づき計数する手順と、
各軸で選択されている各項目の交点に該両項目を含む技術文献の数を表示してマップを作成する手順と、
を有することを特徴とする技術マップ作成プログラム。
【請求項１３】
各技術文献に記載されている書誌事項のうち所定項目を抽出して、該抽出された所定項目を技術文献ごとに記録した書誌事項ファイルを作成し、前記文型ファイルと書誌事項ファイルを技術文献番号を介して結合することを特徴とする請求項１２に記載の技術マップ作成プログラム。
【請求項１４】
前記抽出されたいずれか２つの組み合わせの項目が述語と目的語の組み合わせであり、この項目が一方の軸に、また他方の軸には、主語の項目が設定されることを特徴とする請求項１２又は１３に記載の技術マップ作成プログラム。
【請求項１５】
前記抽出されたいずれか２つの組み合わせの項目が主語と述語の組み合わせであり、この項目が一方の軸に、また他方の軸には、目的語の項目が設定されることを特徴とする請求項１２又は１３に記載の技術マップ作成プログラム。
【請求項１６】
前記抽出されたいずれか２つの組み合わせの項目が述語と目的語の組み合わせであり、この項目が一方の軸に、また他方の軸には、書誌事項ファイルから選択された項目が設定されることを特徴とする請求項１３に記載の技術マップ作成プログラム。
【請求項１７】
前記文型ファイルの主語の項目が一方の軸に、また他方の軸には、書誌事項ファイルから選択された項目が設定されることを特徴とする請求項１３に記載の技術マップ作成プログラム。
【請求項１８】
複数の技術文献から項目を抽出してその項目を有する文献数をマップ化する技術マップ作成プログラムにおいて、
各技術文献の記述から、技術課題に対応する項目と、前記技術課題を解決する解決手段に対応する項目を抽出して、少なくとも前記抽出された各項目を技術文献ごとに記録したファイルを作成する手順と、
前記抽出された技術課題に対応する項目のうち選択された項目を一方の軸に、また前記抽出された解決手段に対応する項目のうち選択された項目を他方の軸に設定する手順と、
一方の軸で選択されている項目と他方の軸で選択されている項目を含む技術文献の数を前記ファイルに基づき計数する手順と、
各軸で選択されている各項目の交点に該両項目を含む技術文献の数を表示してマップを作成する手順と、
を有することを特徴とする技術マップ作成プログラム。
【請求項１９】
複数の技術文献から項目を抽出してその項目を有する文献数をマップ化する技術マップ作成プログラムにおいて、
各技術文献に記載されている主語と述語と目的語の各文型から、主語と述語と目的語の項目のうちいずれか２つの組み合わせを項目として抽出して、少なくとも前記抽出されたいずれか２つの組み合わせの項目を技術文献ごとに記録したファイルを作成する手順と、
前記抽出されたいずれか２つの組み合わせの項目のうち選択された項目あるいは他の選択された項目を含む技術文献の数を前記ファイルから計数する手順と、
前記選択された項目ごとに、その項目を含む技術文献数を表示してマップを作成する手順と、
を有することを特徴とする技術マップ作成プログラム。
【請求項２０】
技術文献の書誌事項から抽出された項目を選択し、選択された項目をパラメータとして該パラメータごとに前記表示を行うことを特徴とする請求項１９に記載の技術マップ作成プログラム。
【請求項２１】
前記項目のうち所定の項目を指定し、指定された項目を含む技術文献を絞り込んでマップを作成することを特徴とする請求項１２から２０のいずれか１項に記載の技術マップ作成プログラム。
【請求項２２】
マップ作成後に所定の項目を指定し、指定された項目を含む技術文献を絞り込んでマップを作成することを特徴とする請求項１２から２０のいずれか１項に記載の技術マップ作成プログラム。
【請求項２３】
複数の技術文献から項目を抽出してその項目を有する文献数をマップ化する技術マップ作成プログラムを格納した記録媒体において、
請求項１２から２２のいずれか１項に記載のプログラムを格納した記録媒体。
【発明の詳細な説明】
【０００１】
【発明の属する技術分野】
本発明は、技術マップ作成方法、技術マップ作成プログラム及びそのプログラムを記録した記録媒体、さらに詳細には、複数の技術文献から項目を抽出してその項目を有する文献数をマップ化する技術マップ作成方法、技術マップ作成プログラム及びそのプログラムを記録した記録媒体に関する。
【０００２】
【従来の技術】
技術マップとは、一般に、収集された特許情報等の技術情報を加工・分析し、その結果をビジュアル化して、技術動向、他社の開発状況、自社の開発方向性等目的とする事柄が読めるようにグラフ化したものである。
【０００３】
このような技術マップは、特に特許情報を処理して特許の内容を種々の観点から分析するパテントマップとして利用されており、英文特許公報を対象とした従来のパテントマップ作成用ソフトとしては、例えば、インパテック（株）製の「ＴＥＣＲＥＳ  ＭＷ」で単語切出し用ソフトとして「ＴＥＣＲＥＳ  ＭＷ  ＤＡＴＡ−ＣＵＴ」が知られている。これは、英文特許公報等の英文技術文献が蓄積されているデータベースを用い、検索された英文技術文献に記載された技術情報に基づき英文パテントマップを作成するもので、技術的パラメータとしてのキーワードの抽出は、英文の中から冠詞、助動詞、Ｂｅ動詞、接続詞、疑問詞、関係副詞、関係代名詞、単独の記号、単独の数字等を除外し、あとは機械的に単語単位で切出しを行なうというものである。
【０００４】
一方、意味解析を行なって単語またはフレーズ（句）を切り出す意味解析ソフトとしては、インベンション・マシン社（米国、マサチューセッツ州のボストン）製の「Ｋｎｏｗｌｅｄｇｉｓｔ」が知られている。このソフトは英文の中からＳ（主語）＋Ｖ（他動詞）＋Ｏ（目的語）の文型のみに着目し、ＶＯが解決すべき課題（問題点）、Ｓがその解決手段に相当するという認識に立って、各文献ごとに「Ｓ」と「ＶＯ」を出力するものである。
【０００５】
【発明が解決しようとする課題】
しかしながら、上記従来のパテントマップ作成用ソフトにおいては、切り出されたキーワード間に意味関係や脈絡がないため、マップ作成時においてこれらキーワードを技術的パラメータとして選択することの曖昧さや難しさに加えて、特許公報の技術的内容、特に、解決すべき課題（問題点）および解決手段がマップに反映されていないため、作成されたマップを開発テーマ探索等の開発戦略策定に使うことが困難であるという問題点があった。
【０００６】
すなわち、上記マップにおいては、単語単位で切り出されているため、解決すべき課題（問題点）等の句を選択することは不可能であり、そのため、縦軸に解決すべき課題（問題点）を構成する単語（Ｅ）、横軸に解決手段（Ｓ）を選択してマップが作成されている。このようなマップをＥ−Ｓマトリックスマップということにして、これについて説明すると、ＥｉとＳｊ（ｉ、ｊ＝１、２、．．．．．）の交点における特許件数は、Ｅｉとそれに対応するＳｊが開示されている文献の件数ではなく、ある文献の中にＥｉとそれに対応するとは限らないＳｊが開示されていれば、その文献の件数を数えるというものになっていた。このため、Ｅ−ＳマトリックスマップからＥｉとそれに対応するＳｊが開示されている正確な文件数を把握することが出来ないのみならず、Ｅｉ−Ｓｊの物理的意味そのものが不明確であった。
【０００７】
一方、上記意味解析手段においては、各文献ごとに「Ｓ」と「ＶＯ」が出力される他に、「Ｓ」、「Ｖ」および「Ｏ」単独のパラメータの出現頻度数が表示されるが、これらパラメータが開示されている文献数（例えば、Ｓｉが一つの文献に何回開示されても１件という形での文献数）は出力されないので、これら出力に基づいてマップを作成する場合には、マニュアルで行なわなければならないという問題点があった。また、「ＶＯ」という単位（以下、「Ｐ」という。）での文献数も出力されないので、マップの中で最も重要なＰ−Ｓマトリクスマップを作成する場合には、マニュアルで行なわなければならないという問題点があった。
【０００８】
本発明は、このような点に鑑みてなされたものであって、技術文献を解析してその内容をグラフ化し開発テーマ探索等に適した技術マップ作成方法、技術マップ作成プログラム及びそのプログラムを記録した記録媒体を提供することをその課題とする。
【０００９】
【課題を解決するための手段】
本発明は、複数の技術文献から項目を抽出してその項目を有する文献数をマップ化する技術マップ作成方法、技術マップ作成プログラム及びそのプログラムを格納した記録媒体に関するものであり、
各技術文献に記載されている主語と述語と目的語の各文型から、主語と述語と目的語の項目のうちいずれか２つの組み合わせを項目として抽出して、少なくとも前記抽出されたいずれか２つの組み合わせの項目を技術文献ごとに記録した文型ファイルを作成すること、
前記抽出されたいずれか２つの組み合わせの項目のうち選択された項目を一方の軸に、また他の項目のうち選択された項目を他方の軸に設定すること、
一方の軸で選択されている項目と他方の軸で選択されている項目を含む技術文献の数を前記文型ファイルに基づき計数すること、
各軸で選択されている各項目の交点に該両項目を含む技術文献の数を表示してマップを作成することを特徴としている。
【００１０】
また、本発明は、
各技術文献の記述から、技術課題に対応する項目と、前記技術課題を解決する解決手段に対応する項目を抽出して、少なくとも前記抽出された各項目を技術文献ごとに記録したファイルを作成すること、
前記抽出された技術課題に対応する項目のうち選択された項目を一方の軸に、また前記抽出された解決手段に対応する項目のうち選択された項目を他方の軸に設定すること、
一方の軸で選択されている項目と他方の軸で選択されている項目を含む技術文献の数を前記ファイルに基づき計数すること、
各軸で選択されている各項目の交点に該両項目を含む技術文献の数を表示してマップを作成することも特徴としている。
【００１１】
さらに、本発明は、
各技術文献に記載されている主語と述語と目的語の各文型から、主語と述語と目的語の項目のうちいずれか２つの組み合わせを項目として抽出して、少なくとも前記抽出されたいずれか２つの組み合わせの項目を技術文献ごとに記録したファイルを作成すること、
前記抽出されたいずれか２つの組み合わせの項目のうち選択された項目あるいは他の選択された項目を含む技術文献の数を前記ファイルから計数すること、
前記選択された項目ごとに、その項目を含む技術文献数を表示してマップを作成することも特徴としている。
【００１２】
【発明の実施の形態】
以下、図面に示す実施の形態に基づいて本発明を詳細に説明する。
【００１３】
以下では、技術文献を英文の特許文献（例えば、米国特許明細書）として説明するが、本発明は、これに限定されるものではなく、和文の特許明細書や他の技術文献にも適用できるものである。
【００１４】
まず、図１のステップＳ１に示すように、分析してマップ作成の対象となる特許文献をＷＥＢ上、ＣＤ−ＲＯＭ、自社のデータベースなどからダウンロードする。ＷＥＢ上からダウンロードする場合には、例えば、米国特許庁のホームページにアクセスして所望の特許文献をダウンロードすることができる。
【００１５】
続いて、ダウンロードした特許文献から書誌事項ファイルを作成する（ステップＳ２）。書誌事項は、特許番号、発明者、出願人（権利者）、登録日（発行日）などで、これらの書誌事項は、ダウンロードした特許文献ファイルで規則的に記述されていることから、簡単に切り出してファイル化するこができる。切り出すパラメータは、上記以外にも、公開日、出願日など必要に応じて抽出するようにする。
【００１６】
このようにして作成された書誌事項ファイルが図２に図示されており、このファイルには、特許番号の重複があればこれを排除して、特許番号（下３桁だけ図示）、発明者（Ｘ）、出願人（Ｙ）、登録日（Ｚ）、．．．．．などの項目（パラメータ）が番号を付して記録される。ダウンロードした特許文献と特許番号は、一意に関連付けられ重複があれば排除されるので、各特許番号に対して一対一に対応するように文献番号を付すことができ、図２では、各特許番号に対して記録番号に対する文献番号＃ｎ（ｎ＝１、２、３、．．．．．）が特許番号の後に括弧書きで記載されている。また、一つの文献に対して発明者や出願人が複数ある場合には、他の発明者や他の出願人の欄を設け、そこに数を記録して、別ファイルとして記録するか、あるいは同じファイルに直接記録することができる。以下では、説明を簡単にするために、発明者、出願人は、単独であると仮定している。
【００１７】
書誌事項ファイルが作成されたら、次のステップＳ３でＳＶＯファイルを作成する。ＳＶＯファイルとは、例えば、インベンション・マシン社（米国、マサチューセッツ州のボストン）製の「ｋｎｏｗｌｅｄｇｉｓｔ」などの公知のソフトを利用して、ダウンロードしたすべての文献の記述の中からＳ（主語、解決手段に対応していることを前提にする）＋Ｖ（他動詞）＋Ｏ（目的語）の文型のみに着目し、「Ｓ」、「Ｖ」、「Ｏ」の各項目と特許番号を出力したファイルであり、図３の左側に切り出したすべての文型に対してＳについて並び替えて番号（Ｎ）を付して符号２０で図示されている。なお、「６」以降の番号Ｎは、説明の都合上付したもので、実際の通し番号とは相違している。このＳＶＯファイルでは、各文献内にＳＶＯ単位で重複がないことが前提になっており、もし重複がある場合には、前処理としてこれを排除しておく。従って、前処理されたファイルでは、いずれの文献を取り出しても、その文献内には、同じＳＶＯは排除されていて、いずれのＳＶＯを比較しても、そのＳ、Ｖ、Ｏの各項目のいずれかあるいはその組み合わせの項目が異なるように処理される。
【００１８】
続いて、このＳＶＯファイルから、各項目「Ｖ」と「Ｏ」の組み合わせの項目（課題に対応していることを前提にする）、「ＶＯ」の項目、「Ｓ」と「Ｖ」の組み合わせ「ＳＶ」の項目に対して、新たなパラメータ（項目）Ｐ、Ｑを作成する。これは、図４（Ａ）に示したように、ＳＶＯファイルのすべての項目「ＶＯ」２２をアルファベット順に並び替えて重複を排除し、上から順にＰ１〜Ｐｎとし、「ＶＯ（Ｐ）」欄を作成して、そのＰｎ（ｎ＝１、２、．．．．．）を記録したものである。Ｐｎのｎが異なれば、それを構成するＶＯのいずれかあるいはそのすべてが相違している。なお、図３の図示では、図４に従って表に対応したＰｎが付与されているのでなく、表示を見やすくするために、異なるＰｎが付されている。同様に、「ＳＶ」に対しても、図４（Ｂ）に図示したように、項目「ＳＶ」２３をアルファベット順に並び替えて重複を排除し、上から順にＱ１〜Ｑｘを付与し、「ＳＶ」欄を作成してそれを記録する（図３では、Ｑ番号は表示されていない）。また、文献番号＃ｎに対しては、書誌事項ファイルに対して与えられた番号を記録する。以下、このように加工された文型ファイルないし技術ファイル２１をＳＶＯファイルという。
【００１９】
このＳＶＯファイルは、文献番号＃ｎを介して書誌事項ファイルと結合できるので、図３に図示したように、ＳＶＯファイルと書誌事項ファイルを結合したファイルを作成することができる。結合されたファイルでは、書誌事項ファイルに対応する部分１０’には、ＳＶＯファイルの各文献に対してそれに対応する発明者、出願人、登録日が記録されている。
【００２０】
続いて、このように作成されたファイルに対して絞り込み作業を行う。この絞込みは、ダウンロードした文献から所定のパラメータを設定して、そのパラメータを含む文献を抽出（検索）する作業であり、図１のステップＳ５で行われる。絞り込みが不要な場合には（ステップＳ４のＮＯ）、後述するように、マップ作成作業に入り（ステップＳ７、Ｓ８）、また絞込みが必要な場合には（ステップＳ４のＹＥＳ）絞り込みを行ってからマップ作成作業を行う。この絞込みは、一回行うのではなく、絞り込まれた文献に対して、更に他のパラメータを指定して多重に絞込みを行うことができる（ステップＳ６）。また多重絞込みは、マップ作成前だけでなく、マップ作成結果に従ってマップ作成後に行うこともできる（ステップＳ７、Ｓ８）。
【００２１】
以下に、具体的に絞り込み、マップを作成する作業を説明する。
【００２２】
今、開発者、研究者が、カメラ用長焦点レンズ（焦点距離ｆ）の全長Ｌ（前面からフィルム面までの距離）を小さくしようとするテーマに取り組んでおり、解決すべき課題（問題点）Ｐ１としてＬ／ｆを小さくすること、その解決手段Ｓ１として、前群の屈折力を正、後群の屈折力を負とすることが知られているとする。開発者などは、その分野の、例えば数十件ないし数百件の特許文献をダウンロードしてＳＶＯファイル２１を作成すると、例えば、
Ｖ１Ｏ１（Ｐ１）  望遠比（Ｌ／ｆ）を小さくすること
Ｖ２Ｏ２（Ｐ２）  収差の劣化を防止すること
Ｖ３Ｏ３（Ｐ３）  ディストーション（糸巻型歪曲）を補正すること
Ｖ４Ｏ４（Ｐ４）  像面湾曲（オーバーな像面）を修正すること
Ｖ５Ｏ５（Ｐ５）  色収差を補償すること
Ｖ６Ｏ６（Ｐ６）  二次スペクトルを減少すること
Ｓ１  前群の屈折力正、後群の屈折力負
Ｓ２  屈折力配置の最適化
Ｓ３  後群の凹レンズを絞りに近く、凸レンズを絞りから遠くする
Ｓ４  凸レンズの屈折率小、凹レンズの屈折率大
Ｓ５  凸レンズの分散小、凹レンズの分散大
Ｓ６  異常分散硝種
などが抽出される。
【００２３】
そこで、開発者などは、開発テーマに従い、例えばＰ１（Ｖ１Ｏ１）とＳ１を有する文献を、ダウンロードした文献からＳＶＯファイルを利用して絞り込む（検索する）。この流れが図５に図示されている。
【００２４】
まず、絞り込み時、ステップＳ１０において、絞り込みパラメータ値をＰ１、Ｓ１にセットして、続いてＳＶＯファイル２１の番号Ｎを１にセットし、検索された文献＃を示す文献＃フラグ（文献番号フラグ）をリセットし（ステップＳ１１）、番号Ｎ＝１のパラメータ値（項目値）Ｓ１とＰ１、並びに文献＃フラグを読み込む（ステップＳ１２）。最初、すべての文献＃フラグはリセットされているので、ステップＳ１３の判断は否定され、続くステップＳ１４で、パラメータ値がＳ１、Ｐ１であるかどうかが判断される。番号Ｎ＝１のデータに対しては、この判断はＹＥＳとなるので、図６（Ａ）に示したように、文献＃１に対してフラグが「１」にセットされ（ステップＳ１５）、Ｎが＋１される（ステップＳ１６）。
【００２５】
Ｎはまだ最大値Ｎｍａｘを超えていないので（ステップＳ１７の否定）、ステップＳ１２に戻ってＮ＝２のデータが読み出され、同様な処理がなされる。Ｎ＝４までは、パラメータ値はＰ１、Ｓ１であり、各文献＃２、＃３、＃４に対しては、フラグがまだ立っていないので、ステップＳ１５において対応するフラグが「１」にセットされる。一度フラグが「１」にセットされた文献のもの（番号Ｎ＝１０、１１、２０、３０、４０、４１など）、あるいは文献＃フラグが「０」の文献であっても、Ｐ１、Ｓ１でないもの（番号Ｎ＝５、６、１２、４３、４４、５１、５２など）は、ステップＳ１３が肯定されるか、ステップＳ１４が否定されるので、Ｎが＋１されてステップＳ１２に戻って同様な処理が行われる。そして、Ｎが最大値Ｎｍａｘを超えたところで絞り込みが終了する。
【００２６】
このようにして、Ｐ１、Ｓ１による絞込みでは、文献＃１、＃２、＃３、＃４に、これらのパラメータ値が含まれているので、図６（Ａ）に示したように、その文献＃に対してフラグ「１」がセットされる。このセット情報は、図３にも記録することができ、それが絞り込み（１）欄に示されている。また、図７には、ヒットした文献＃１、＃２、＃３、＃４のＳＶＯの中身が図示されている。
【００２７】
このように、Ｐ１、Ｓ１による絞込みを終了してから、更に絞り込み作業を行う場合は（ステップＳ１８のＹＥＳ）、ステップＳ１０に戻って同様な作業を行い、また絞込みを行わない場合は、ステップＳ１９に移行してマップを作成する。
【００２８】
ステップＳ７、Ｓ１９で行われるマップ作成の流れが図８に図示されている。まず、ステップＳ３０でＳＶＯファイル２１と書誌事項ファイル１０の各パラメータ値を出力する。これは、各ファイル（絞り込まれている場合には、絞り込み後）の各パラメータ値を重複を排除して出力させるもので、例えば、「Ｓ」に関しては、Ｓ１、Ｓ２、Ｓ３、．．．．．、「Ｐ」に関しては、Ｐ１、Ｐ２、Ｐ３、．．．．．などが出力され、重複はなく、互いに相違するものである。
【００２９】
続いて、ステップＳ３１でマップパラメータを選択する。今、Ｐ（課題）−Ｓ（解決手段）マップを作成しようとするので、横軸に、ステップＳ３０で出力されているＰ、Ｓのパラメータ値から任意のパラメータ値を選択する。たとえば、Ｐに関しては、出力されているパラメータ値のうちＰ１〜Ｐ６を選択し、これを縦軸に設定する。またＳに関しては、Ｓ１、Ｓ２、Ｓ４、Ｓ５、Ｓ６（Ｓ３は非選択）、これを横軸に設定する。そして、これら選択したパラメータ値の交点に対応する数（この実施例では３０個）のカウンタ（マトリックスカウンタ）を用意して、それを初期化する（ステップＳ３２）。
【００３０】
次に、図３のファイルの番号Ｎを１にセットして（ステップＳ３３）、その番号の絞り込みフラグとパラメータ値を読み込む（ステップＳ３４）。Ｎ＝１の場合は、フラグは「１」、Ｓ＝Ｓ１、Ｐ＝Ｐ１であるので、ステップＳ３５、Ｓ３６の判断がいずれも肯定され、ステップＳ３７で、各パラメータ値の交点であるＰ１Ｓ１カウンタが＋１され、Ｎ＋１されて（ステップＳ３８）、次の番号のデータに対して同様な処理が行われる。Ｎ＝２、３、４では、Ｎ＝１と同じ処理となり、それぞれＰ１Ｓ１カウンタが＋１され、カウンタ値は「４」となる。例えば、Ｎ＝５、６のデータでは、絞り込みフラグが「０」であるので、ステップＳ３７はスキップされ、また、Ｎ＝２０、３０のデータでは、絞り込みフラグは「１」であるが、Ｓ３が選択されていないので、同様にステップＳ３７がスキップされる。
【００３１】
このような処理をＮがＮｍａｘを超えるまで繰り返すと（ステップＳ３９）、ＰｊＳｋ（ｊ、ｋ＝１〜６（Ｓ３除く））を含む文献の数がカウントされることになり、図９に示したようなマップが作成される。他種のマップを作成する場合には、ステップＳ３１に戻ってマップパラメータ値を選択して同様な処理を行う。例えば、図１０（Ａ）に示したようなＳＶ（主語＋述語）−Ｏ（目的語）マップ、図１０（Ｂ）に示したようなＰ（課題）−Ｙ（出願人）マップ、図１０（Ｃ）に示したようなＳ（解決手段）−Ｙ（出願人）マップを作成することができる。
【００３２】
また、このようにマップが作成された後、絞り込みを行ってさらにマップを作成したい場合がある。例えば、図９に示したＰ−Ｓマップ作成後、このマップを見てＰ５、Ｐ６で絞り込んでみようとする場合である。このような場合には、図５のステップＳ２０の判断が肯定され、ステップＳ１０に戻って絞り込みパラメータＰ５、Ｐ６が設定される。Ｐ５、Ｐ６のように、同じＰパラメータに付いて異なる２つのパラメータ値が設定される場合には、図６（Ｂ）に図示したように、２つのフラグ３０、３１を設け、その論理積をとる必要がある。まず、Ｐ５で絞り込むと、文献＃１、＃２、＃４〜＃６にフラグが立ち、Ｐ６で絞り込むと、文献＃４〜＃６にフラグが立つので、これらの論理積をとって、フラグ３２を形成し、図３の絞り込み（２）の欄にフラグ値を記録する。また、この絞り込まれた文献＃４〜＃６の内容が図１１に図示されている。各パラメータ値の値は、図７、図１１に記載されており、また一部は、既に上述されており、
Ｖ７Ｏ７（Ｐ７）  球面収差を除去すること
Ｖ８Ｏ８（Ｐ８）  開口数（ＮＡ）を大きくすること
Ｓ７  ＣａＦ２、ＬｉＦ
Ｓ８  高屈折率レンズ
である。
【００３３】
この絞り込み（２）を行った後、図８のマップ作成の流れに沿ってＰ−Ｓマップを作成する。各パラメータ値を出力した後（ステップＳ３０）、マップパラメータ値としてＰ１、Ｐ２、Ｐ４〜Ｐ８、Ｓ１、Ｓ２、Ｓ４〜Ｓ８を選択し（ステップＳ３１）、各パラメータ値の交点の数に対応する４９個のカウンタを設定して（ステップＳ３２）、ステップＳ３３以降の処理を行うと、図１２に示されたような、Ｐ−Ｓマップが作成される。
【００３４】
また、例えば、ＳＶＯファイル２１のパラメータＰ（課題）のＰ１と書誌事項ファイルのパラメータＹ（出願人）のＹ１による絞り込みを行うことができる。この場合には、Ｐ、Ｓによる絞込みと同様な処理が行われ、ヒットした文献＃に対してフラグを立てて、それを図３の絞り込み（３）欄に記録する。このように、多重絞り込みを行って図３のように、ＳＶＯファイルの付属情報としてその結果を記録しておくと、各絞り込みの結果の論理値を取ってマップを作成することができるので、多角的なマップを作成することができる。例えば、絞り込み（１）と絞り込み（３）の論理和あるいは論理積をとって絞り込み値「１」、「０」を求め、それを図８のステップＳ３５の判断に反映させれば、種々のパラメータの論理演算に基づいた絞り込み結果に基づくマップを作成できるので、技術解析を多角的に行うことができる。
【００３５】
以上説明した技術マップは、マトリックスマップであったが、本発明では、図１３に図示されたように、それ以外の各種のマップを作成することができる。
【００３６】
図１３（Ａ）は、ランキングマップと呼ばれており、解決手段Ｓを縦軸に、種々の解決手段の特許件数が何件か横軸にしてグラフ化したもので、図３のＳＶＯファイルをＳについて並び替え、各Ｓ値について文献＃を重複を排除して計数することにより作成することができる。図１３（Ｂ）は、時系列マップとも呼ばれており、解決手段Ｓをパラメータとして（登録日の）日付ごとに特許件数をプロットしたもので、ＳＶＯファイル２１と書誌事項ファイルを図３のように結合し、それぞれ解決手段Ｓｎ（ｎ＝１〜４）を含むものだけを抽出してファイル化し、各ファイルを日付ごとに並び替えて文献＃を重複を排除して計数することにより作成することができる。また、図１３（Ｃ）は、参入、撤退マップと呼ばれており、図１３（Ｂ）の変形で、それぞれ日付の最初と最後のものを検出して作成する。さらに、図１３（Ｄ）は、競合分析マップと呼ばれており、出願人ごとに、また解決手段Ｓごとに特許件数を計数したもので、ＳＶＯファイル２１と書誌事項ファイルを図３のように結合し、出願人Ｙｎ（ｎ＝１、２）のものを抽出して図１３（Ａ）のマップを作成したのと同様な処理を行えばよい。
【００３７】
図１３の実施形態では、ＳＶＯファイルのパラメータ（項目）は、Ｓが選択されているが、その他、Ｐ、ＳＶ、Ｖ、Ｏであってもよく、また書誌事項ファイルのパラメータは、出願人以外の項目であってもよい。
【００３８】
以上、述べた実施形態でＳＶＯファイル２１ないしそれと書誌事項ファイル１０の結合ファイルは、適宜所定項目について並び替えて処理を行うことにより、処理速度を向上させることができる。例えば、文献番号に付いて昇順あるいは降順に並び替えておくと、絞り込み作業を高速に行うことができる。すなわち、絞り込みにおいて、一つの文献がヒットすると、その文献番号の次の番号のポインタに番号Ｎを移動（スキップ）させることができるので、番号Ｎを順次インクリメントさせるよりも処理が高速になる。その他、通常のファイル処理方法に従って、ＳＶＯファイル２１ないしそれと書誌事項ファイル１０の結合ファイルをフィルタリングしたり、所定項目についてインデックスを作成して目的とする処理を高速化することができる。
【００３９】
また、上記マップを作成するのに用いられる手順を記載したプログラムは、ＦＤ、ＣＤ−ＲＯＭ、ＤＶＤ、ハードディスクなどの記録媒体に格納することができ、またインターネットなどのネットワークを介して配信することができるものである。
【００４０】
なお、上述した実施形態で、Ｓｉ、Ｖｊ、Ｏｋ（ｉ、ｊ、ｋ＝１、２、．．．．．）並びにこれらのＰｍ、Ｑｎ（ｍ、ｎ＝１、２、．．．．．）などの各項目は、添え字（下付きの数字）が異なれば異なっている（例えば、Ｓ１、Ｓ２は互いに異なる、など）。これは、同一の言葉でないほかに、同義語でもないことを意味している。したがって、マップを作成するとき、選択された項目に同義語がある場合には、これを統合するようにしないと、マップが不正確になる。そのため、マップの両軸に設定される項目のうちいくつかが、内蔵のシソーラスによりあるいは作成者の判断で同義語と判断された場合には、これらを同義語の範囲内で一つに統合する同義語処理を行うようにし、それぞれ統合された項目に対してマップ値をとるようにする。
【００４１】
また、本発明では、抽出されるＳ（主語）、Ｖ（述語）、Ｏ（目的語）などは、単に一つの単語だけでなく、複数の単語をつづったひとまとまりの技術的内容を表す語句をも含むものであり、ＶＯは技術課題ないし問題点に、またＳはその解決手段に対応していることを前提にしている。例えば、「最適化されたレンズ配置（Ｓ）は、色収差を補償する（ＶＯ）」という文型が抽出された場合、色収差を補償するためには（課題）、レンズ配置を最適化すればよい（解決手段）ことが、この文型から読み取れることが重要な点である。したがって、その解決手段が、公知であるか、新規なものであるかは、問題とするものではないので、新規性の調査などでは、主として従来技術の記載部分からＳＶＯ切り出しを、また開発テーマの探索などには、主として実施例の記載部分からＳＶＯ切り出しを行うなど、目的に応じて文献にフィルタをかけて、文型抽出を行うのが好ましい。
【００４２】
【発明の効果】
以上説明したように、本発明では、収集された技術文献の集合から抽出された解決課題（Ｐ）とそれに対応する解決手段（Ｓ）が開示されている文献数を見ることにより、ある解決課題に対してどんな解決手段がどの位あるのか、あるいは、逆に、ある解決手段がどのような解決課題にどの位用いられているのか、またある解決課題に対して未着手の解決手段は何か、また逆に、ある解決手段に対して未利用の解決課題は何かを知ることができ、またｉ＝１、２、．．．．．としてある解決課題（Ｐｉ）に対してそれと対応する解決手段（Ｓｉ）が未着手（件数０）であった場合でも、Ｐｉと何らかの関連がある解決課題（Ｐｉ’）に対応する解決手段（Ｓｉ’）を読み取ることにより、ＰｉとＳｉ’の組合せの可能性についてのヒントを得ることが出来る。
【００４３】
また、本発明では、ＳｉＶｉに対応するＯｉがある場合、他のＯｊを見ることにより、ある解決課題に対応する解決手段の他の対象を探すことが出来る。例えば、ＧＰＳ（Ｓｉ）が船（Ｏｉ）をナビゲートする（Ｖｉ）ことが知られている場合、ＳｉＶｉ（ＧＰＳがナビゲートする）の他の対象であるＯｊ（車）を探すことが出来る。
【００４４】
また、上記の各効果は、マトリクスマップでなくても、Ｐで絞込み後のＳ（または、Ｓで絞込み後のＰ）、または、ＳＶで絞込み後のＯに関するランキングマップ、時系列マップ、参入・撤退マップ、競合分析マップ等においても発揮される。すなわち、マトリクスマップとこれらマップを併用することでさらに多面的な分析が容易となる。
【００４５】
また、すでに開発テーマ（例えば、Ｐｉに対するＳｉ、またはＳｉに対するＰｉ）が決まっている場合には、上記諸々のマップから、Ｐｉに対するＳｉ、またはＳｉに対するＰｉが存在するかしないかを見れば、ＳｉやＰｉの斬新さを判断することができる。この場合、ＳｉやＰｉの少ないことが期待され、一方、ＳｉやＰｉの実行可能性を見る場合には、斬新さとは裏腹にＳｉやＰｉが多いことが期待される。
【００４６】
また、開発テーマの探索は、単に技術的パラメータだけでなく、人的パラメータをも勘案して総合的に行なわれるものである。従って、Ｐ−Ｓマトリクスマップ、ＳＶ−Ｏマトリクスマップ、Ｓ−［人的パラメータ（例えば出願人）］マトリクスマップ、Ｐ−［人的パラメータ］マトリクスマップ、Ｏ−［人的パラメータ］マトリクスマップ、さらには、Ｓ、Ｐ、Ｏおよび人的パラメータについてのランキングマップ、時系列マップ、参入・撤退マップおよび競合分析マップを総合的に用いることにより、解決課題（Ｐ）、解決手段（Ｓ）および解決手段の他の対象物（Ｏ）の分析が可能となり、ひいては、開発テーマの探索が可能となる。
【図面の簡単な説明】
【図１】マップ作成の全体の流れを示したフローチャートである。
【図２】書誌事項ファイルの内容を示した説明図である。
【図３】ＳＶＯファイルと、書誌事項ファイルを結合して得られるファイルの構成を示した説明図である。
【図４】各要素の配列からその結合の種別を検出する状態を示した説明図である。
【図５】絞り込み作業の流れを示したフローチャートである。
【図６】各種絞り込み時の絞り込みフラグの内容を示した説明図である。
【図７】絞り込まれた文献の内容を示した説明図である。
【図８】マップ作成の主要な流れを示したフローチャートである。
【図９】作成されたマップを示すグラフ図である。
【図１０】作成された他のマップを示すグラフ図である。
【図１１】他の絞り込みでヒットした文献の内容を示す説明図である。
【図１２】図１１での絞り込み結果に基づいて作成されたマップを示すグラフ図である。
【図１３】他の種類のマップを示すグラフ図である。
【符号の説明】
１０  書誌事項ファイル
２１  ＳＶＯファイル
Ｓ  主語（解決手段）
Ｖ  述語
Ｏ  目的語
Ｐ  課題
【図１】
2004220456.tif 000003
【図２】
2004220456.tif 000004
【図３】
2004220456.tif 000005
【図４】
2004220456.tif 000006
【図５】
2004220456.tif 000007
【図６】
2004220456.tif 000008
【図７】
2004220456.tif 000009
【図８】
2004220456.tif 000010
【図９】
2004220456.tif 000011
【図１０】
2004220456.tif 000012
【図１１】
2004220456.tif 000013
【図１２】
2004220456.tif 000014
【図１３】
2004220456.tif 000015